(57)【要約】【課題】ＬＥＤ照明器具にも適用することができ、コードの長さ調整が簡単にできるコード長さ調整機構及び照明器具を提供する。【解決手段】天井面Ｃから吊り下げて設置する照明器具１００のコード６０の長さを調整し、天井面Ｃに直接取り付けられるコード長さ調整機構１０であって、電源装置６５が収納される筐体２２と、筐体２２の下方に形成される略Ｖ字形状の枠体２３と、を備えるフレーム２０と、フレーム２０を被装するフランジ４０と、を具備し、フレーム２０の枠体２３及びフランジ４０に形成される収納部Ｓには、枠体２３に沿ってコード６０がとぐろ状に捲回して収納される。【選択図】図２
2014220179.tif 000002
【特許請求の範囲】
【請求項１】
被設置部から照明器具本体を吊り下げて設置する照明器具のコードの長さを調整し、前記被設置部に取り付けられるコード長さ調整機構であって、
電源装置が設置される設置部と、
前記コードが収納される収納部と、
を具備し、
前記設置部及び前記収納部は、前記被設置部から前記照明器具本体に向かって前記設置部、前記収納部の順に配置され、
前記収納部は、フランジによって被装される、
コード長さ調整機構。
【請求項２】
請求項１に記載のコード長さ調整機構であって、
前記設置部は、筐体で構成され、
前記収納部は、前記照明器具本体に向かって先細りとなるように形成される枠体によって構成され、
前記収納部には、前記枠体に沿って前記コードがとぐろ状に捲回して収納される、
コード長さ調整機構。
【請求項３】
請求項２に記載のコード長さ調整機構であって、
前記電源装置から前記収納部に案内される前記コードは、前記収納部の外周側から中心方向に向けて案内される、
コード長さ調整機構。
【請求項４】
請求項２又は３に記載のコード長さ調整機構であって、
前記枠体は、コードの位置を固定するコード固定具を備え、
前記コード固定具は、前記枠体と前記フランジの固定を行う、
コード長さ調整機構。
【請求項５】
請求項２乃至４に記載のコード長さ調整機構であって、
前記フランジの前記収納部を被装する部分は、鉛直方向の断面形状が全て円形状に形成される、
コード長さ調整機構。
【請求項６】
光源を備える照明器具本体と、
前記照明器具本体に一端が接続されるコードと、
前記コードの他端が接続されるコード長さ調整機構と、
を備えた照明器具であって、
前記コード長さ調整機構は、請求項１乃至５に記載された構成を有する、
照明器具。
【発明の詳細な説明】
【技術分野】
【０００１】
本発明は、コード長さ調整機構及びそれを備える照明器具に関する。より詳細には、吊り下げて設置する照明器具のコードの長さを調整する機構に関する。
【背景技術】
【０００２】
従来、天井面からコードを介して照明器具本体を吊下げて設置するペンダント型の照明器具が知られている。ペンダント型の照明器具では、天井面と照明器具本体の高さとの関係を調節したり、配光を調節するためにコードの長さを調節する必要がある。
【０００３】
そのため、ペンダント型の照明器具のコードの長さを調整するコード長さ調整機構等が知られている。例えば、特許文献１には、天井に直接取り付けられ、コードの長さを調節するコード長さ調整機構を備える照明器具が開示されている。
【０００４】
しかし、特許文献１に開示されるコード長さ調整機構では、コードの長さを調整しようとする場合には、引っ掛けシーリングカバー（コード長さ調整機構を被装するカバー）を取り外す必要がある。天井に直接取り付けられるコード長さ調整機構では、カバーを取り外す作業も高所での作業となり、作業が困難である。
【０００５】
一方、近年、光源として半導体発光素子を用いた照明器具が開発されている。半導体発光素子として、例えばＬＥＤ（Ｌｉｇｈｔ  Ｅｍｉｔｔｉｎｇ  Ｄｉｏｄｅ）がある。ＬＥＤを用いた照明器具では、ＬＥＤを直流電圧の電源によって発光させる。このため、１００Ｖ交流の商用電源から直流電圧の電力を得るための電源装置が必要である。
【０００６】
ところで、ＬＥＤは点灯時に熱を発生するため、ＬＥＤを効率良く放熱させる必要がある。一方、電源装置も点灯時に熱を発生するため、ＬＥＤと電源装置をできるだけ離して設置することが好ましい。
【先行技術文献】
【特許文献】
【０００７】
【特許文献１】特開２００３−３３８２１６号公報
【発明の概要】
【発明が解決しようとする課題】
【０００８】
しかしながら、照明器具本体内にＬＥＤと電源装置を離して設置するためには、照明器具本体が大型化してしまい、照明器具本体のデザインの自由度が制限される。
【０００９】
本発明は、ＬＥＤ照明の電源装置を収納し、簡単にコードの長さを調整できるコード長さ調整機構及び照明器具を提供することを目的とする。
【課題を解決するための手段】
【００１０】
本願に開示するコード長さ調整機構は、被設置部から照明器具本体を吊り下げて設置する照明器具のコードの長さを調整し、被設置部に取り付けられるコード長さ調整機構であって、電源装置が設置される設置部と、コードが収納される収納部と、を具備し、設置部及び収納部は、被設置部から照明器具本体に向かって設置部、収納部の順に配置され、収納部は、フランジによって被装される。
【００１１】
設置部は、筐体で構成され、収納部は、照明器具本体に向かって先細りとなるように形成される枠体によって構成され、収納部には、枠体に沿ってコードがとぐろ状に捲回して収納されることが好ましい。
【００１２】
電源装置から収納部に案内されるコードは、収納部の外周側から中心方向に向けて案内されることが好ましい。
【００１３】
枠体は、コードの位置を固定するコード固定具を備え、コード固定具は、枠体とフランジの固定を行うことが好ましい。
【００１４】
フランジの収納部を被装する部分は、鉛直方向の断面形状が全て円形状に形成されることが好ましい。
【００１５】
本願に開示する照明器具は、光源を備える照明器具本体と、照明器具本体に一端が接続されるコードと、コードの他端が接続されるコード長さ調整機構とを備えた照明器具であって、コード長さ調整機構は上記構成を有する。
【発明の効果】
【００１６】
本願に開示するコード長さ調整機構及び照明器具によれば、ＬＥＤ照明の電源装置を収納し、簡単にコードの長さを調整できる。
【図面の簡単な説明】
【００１７】
【図１】照明器具の構成を示す正面図。
【図２】コード長さ調整機構の構成を示す平面図、正面図及び側面図。
【図３】フレームの構成を示す平面図、正面図、側面図及び底面図。
【図４】コード長さ調整機構の作用を示す側面図。
【発明を実施するための形態】
【００１８】
図１を用いて、照明器具１００の構成について説明する。
図１では、照明器具１００を正面視にて模式的に表している。また、本実施形態に係る照明器具１００は、光源５２としてＬＥＤが用いられている。
【００１９】
照明器具１００は、本発明に係る実施形態の一例である。照明器具１００は、被設置部としての天井面Ｃからコード６０を介して照明器具本体５０を吊下げて設置するペンダント型の照明器具である。
【００２０】
なお、光源はＬＥＤに限られず、他の半導体発光素子、例えばＥＬ（Ｅｌｅｃｔｒｏｌｕｍｉｎｅｓｃｅｎｃｅ）を用いてもよい。また、被設置部は天井面Ｃに限られず、例えば、家屋の梁、ガーデンルームの上部フレーム等であっても良い。
【００２１】
照明器具１００は、コード長さ調整機構１０と、照明器具本体５０と、コード６０と、を具備している。
【００２２】
コード長さ調整機構１０は、天井面Ｃに照明器具１００を取り付けるものである。また、コード長さ調整機構１０は、コード６０の長さを調整可能とし、照明器具本体５０の天井面Ｃからの吊り下げ高さを調整可能とするものである。コード長さ調整機構１０について、詳しくは後述する。
【００２３】
コード６０は、コード長さ調整機構１０と照明器具本体５０を電気的及び機械的に接続するものである。コード６０は、天井面Ｃに取り付けられたコード長さ調整機構１０から照明器具本体５０を吊り下げている。本実施形態のコード６０は、可撓性を有するものとされている。
【００２４】
照明器具本体５０は、筐体５１、光源５２、及びセード５３を備えている。筐体５１は、照明器具本体５０の基体となる部材である。筐体５１は、細長い有底の円筒状である。図１における上面側には天面が形成されており、下面側には、光を照射するための照射口５５が形成されている。
【００２５】
筐体５１は、光源５２から発する熱を放熱させるために、熱伝導性が高い素材、例えばアルミニウム等の金属素材を用いて形成されている。筐体５１の内側には、筐体５１の内壁に沿って、光源５２を取り付ける光源取付部５６が形成されている。
【００２６】
筐体５１の下面側には、セード５３を保持する保持部５７が設けられている。筐体５１の上面側には、コード６０を固定し照明器具本体５０を吊り下げるための係止部５８が設けられている。なお、照明器具本体５０の形状は限定されず、円筒状の他に、例えば角筒状や円錐状等であってもよい。
【００２７】
セード５３は、筐体５１の下面側を覆うように取り付けられる部材である。セード５３は、光源５２からの光を反射及び拡散させつつ、外部へ配光する。セード５３は、透光性を有する樹脂素材、ガラス素材、または陶磁器等で形成されている。セード５３は、筐体５１に対して着脱できる構造となっている。
【００２８】
光源５２は、光源基板としてのＬＥＤモジュール基板を有している。ＬＥＤモジュール基板は、基板上に半導体発光素子としてのＬＥＤが複数実装されている。光源５２には、コード６０が電気的に接続されている。
【００２９】
図２を用いて、コード長さ調整機構１０の構成について説明する。
図２（Ａ）では、コード長さ調整機構１０の平面視を模式的に表し、図２（Ｂ）では、コード長さ調整機構１０の正面視を模式的に表し、図２（Ｃ）では、コード長さ調整機構１０の側面視を模式的に表している。なお、コード長さ調整機構１０は実際にはフランジ４０によって内部構造が覆い隠されるが、図２（Ｂ）及び図２（Ｃ）ではコード長さ調整機構１０の内部構造を明確に表現するために、内部構造を表している。
【００３０】
コード長さ調整機構１０は、照明器具１００のコード６０の長さを調整するものである。コード長さ調整機構１０は、天井面Ｃに直接取り付けられるものである。コード長さ調整機構１０は、フレーム２０と、端子台３０と、フランジ４０と、を具備している。
【００３１】
フレーム２０は、電源装置６５が収納されるものである。電源装置６５は、照明器具本体５０に設けられる光源５２を点灯させるための装置である。電源装置６５は、１００Ｖ交流の商用電源から直流電圧の電力を得るための電気回路であり、基板上に複数の電子部品が実装された構成である。電源装置６５は、端子台３０及びコード６０に電気的に接続されている。
【００３２】
フレーム２０は、コード６０の一部が収納されるものである。フレーム２０では、コード６０の全長から照明器具本体５０の吊り下げ高さを差し引いた余剰のコード６０が収納されている。なお、フレーム２０について詳細な説明は後述する。
【００３３】
端子台３０は、天井面Ｃに引き回される１００Ｖ交流の商用電源を接続するものである。端子台３０は、フレーム２０の上方（筐体２２の上面）に配置されている。端子台３０は、上面に１００Ｖ交流の商用電源の接続口３５を設け、側面からコード６０Ａが取り出されている。
【００３４】
フランジ４０は、フレーム２０及びフレーム２０に収納されたコード６０を被装するものである。フランジ４０は、中空の回転楕円体（長球楕円体）を短辺に沿って切断した形状に形成され、鉛直方向の断面図は全て円形状になるように形成されている。フランジ４０の下端部には、開口部４１が形成されている。開口部４１には、コード引き出し口４４及びコード６０が貫通している。フランジ４０は、例えば樹脂、金属などで形成することができる。
【００３５】
コード引き出し口４４は、後述するフレーム２０の開口部２３Ａからフランジ４０に対して延出するように設けられている。コード引き出し口４４は、コード６０を挿通させるとともに、自由に進退させることのできる貫通孔を有している。コード引き出し口４４の自由端には、複数の可動片が形成されている。コード引き出し口４４の周面には、締め付け具４５が螺合するための雄螺子が形成されている（図４参照）。
【００３６】
締め付け具４５は、コード引き出し口４４の自由端に螺合させることで、コード引き出し口４４に挿通されるコード６０の位置を固定するものである。締め付け具４５は、コード引き出し口４４の周面に形成される雄螺子に螺合させて締め付けていくことにより、コード６０の周囲に可動片を押し付け、コード６０の位置を固定する。
【００３７】
図３を用いて、フレーム４０の構成について説明する。
図３（Ａ）では、フレーム４０の平面視を模式的に表し、図３（Ｂ）では、フレーム４０の正面視を模式的に表し、図３（Ｃ）では、フレーム４０の側面視を模式的に表し、図３（Ｄ）では、フレーム４０の底面視を模式的に表している。
【００３８】
フレーム２０は、上述したように電源装置６５及びコード６０を収納するものである。フレーム２０は、正面視にて略Ｕ字形状に構成されている。フレーム２０は、取り付け部２１と、設置部としての筐体２２と、枠体２３と、を具備している。取り付け部２１と筐体２２と枠体２３とは、一体成形とすることができる。また、取り付け部２１と枠体２３とは、一体成形とすることができる。
【００３９】
取り付け部２１は、天井面Ｃに当接して取り付けられる部分である。取り付け部２１は、正面視にて略Ｌ字形状に構成されている。取り付け部２１は、ネジの軸を通すことができる孔部が形成されている。フレーム２０は、取り付け部２１を天井面Ｃに当接してネジ等の固定具にて固定することによって、天井面Ｃに取り付けられる。
【００４０】
筐体２２は、電源装置６５を収納するものである。筐体２２は、平面視にて長方形となる直方体として構成されている。筐体２２の平面視短手側の両側面には、開口部２２Ａ・２２Ａが形成されている。それぞれの開口部２２Ａには、コード６０が貫通している。筐体２２は、電源装置６５の放熱性を考慮して金属で形成することが好ましく、本実施形態では一例としてアルミニウムで形成されている。
【００４１】
枠体２３は、コード６０を収納するものである。枠体２３は、正面視にてＶ字形状に構成されている。枠体２３の下端部には平面が形成され、その平面には開口部２３Ａが形成されている。枠体２３には、コード６０がとぐろ状に捲回して収納される。ここで、とぐろ状とは、可撓性を有する紐状の部材が、螺旋状に重なりつつその径を減少させていく状態をいう。
【００４２】
図２及び図３を用いて、コード長さ調整機構１０におけるコード６０の配置について説明する。
【００４３】
端子台３０の側面から引き出されたコード６０Ａは、フレーム２０の筐体２２の一方の開口部２２Ａを貫通して筐体２２に収納された電源装置６５に接続される。電源装置６５から引き出されたコード６０は、フレーム２０の筐体２２の他方の開口部２２Ａを貫通し、下方の枠体２３及びフランジ４０の内壁にて形成される収納部Ｓの外周側から中心方向に導かれる。
【００４４】
ここで、フレーム２０の枠体２３及びフランジ４０の内壁にて形成される収納部Ｓではコード６０の全長から照明器具本体５０の吊り下げ高さを差し引いた余剰のコード６０が、下方に向かうにつれて径が小さくなるとぐろ状に捲回される。
【００４５】
コード６０は、収納部Ｓの外周側から中心方向に導かれるため、収納部Ｓに収納されるコード６０は、収納部Ｓの外周に沿ってとぐろ状に捲回されやすくなる。とぐろ状に捲回されたコード６０は、枠体２３の開口部２３Ａから引き出され、フランジ４０の開口部４１からコード長さ調整機構１０の外部へ引き出される。
【００４６】
図４を用いて、コード長さ調整機構１０の作用について説明する。
なお、図４（Ａ）は、コード長さ調整機構１０からコード６０を引き込む作用を側面視にて模式的に表し、図４（Ｂ）は、コード長さ調整機構１０からコード６０を引き出す作用を側面視にて模式的に表している。
【００４７】
図４（Ａ）に示すように、照明器具本体５０の吊り下げ高さを高くしたいときには、コード長さ調整機構１０にコード６０を引き込むことによって、コード長さ調整機構１０から引き出されているコード６０の長さを短くする。このとき、まず、コード引き出し口４４から締め付け具４５を外し、フランジ４０に対するコード６０の固定を開放する。
【００４８】
次に、コード長さ調整機構１０に対し、コード６０を押し込んでいく。このとき、押し込まれるコード６０は、予めフレーム２０の枠体２３及びフランジ４０にて形成される収納部Ｓにて収納されているコード６０（下方に向かうにつれて径が小さくなるとぐろ状に形成されている）の下方にて、収納されているコード６０に倣うように捲回される。
【００４９】
コード長さ調整機構１０に押し込まれ、収納されているコード６０に倣うように捲回されるコード６０は、フレーム２０の枠体２３及びフランジ４０の内壁に規制され、フレーム２０の枠体２３及びフランジ４０の内壁に沿うように捲回される。
【００５０】
このようにして、コード長さ調整機構１０に押し込まれるコード６０は、予め捲回されて収納されているコード６０に倣うように捲回されること、並びに、フレーム２０の枠体２３及びフランジ４０の内壁に沿うように捲回されることによって、さらに径が小さくなるとぐろ状に捲回される。
【００５１】
次に、コード長さ調整機構１０から引き出されているコード６０の長さが所望の長さになったら、コード取り出し口４４に対し締め付け具４５を取り付け、フランジ４０に対してコード６０を固定する。同時に、フレーム２０に対してフランジ４０を固定する。
【００５２】
図４（Ｂ）に示すように、照明器具本体５０の吊り下げ高さを低くしたいときには、コード長さ調整機構１０からコード６０を引き出す必要がある。このとき、まず、フランジ４０から締め付け具４５を外し、コード引き出し口４４に対するコード６０の固定を開放する。
【００５３】
次に、コード長さ調整機構１０に対し、コード６０を引き出していく。このとき、予めフレーム２０の枠体２３及びフランジ４０にて形成される収納部Ｓにて収納されているコード６０（下方に向かうにつれて径が小さくなるとぐろ状に形成されている）は、絡まることなく下方から次第に引き出される。
【００５４】
次に、コード長さ調整機構１０から引き出されているコード６０の長さが所望の長さになったら、コード引き出し口４４に対し締め付け具４５を取り付け、フランジ４０に対してコード６０を固定する。同時に、フレーム２０に対してフランジ４０を固定する。
【００５５】
コード長さ調整機構１０及び照明器具１００の効果について説明する。
コード長さ調整機構１０及び照明器具１００によれば、ＬＥＤ照明器具にも適用することができ、コードの長さ調整が簡単にできる。
【００５６】
すなわち、コード長さ調整機構１０を構成するフレーム２０に筐体２２を設けて電源装置６５を収納することによって、光源５２のＬＥＤ発光素子を直流電圧の電源によって発光させるため、１００Ｖ交流の商用電源と照明器具本体５０との間に電源装置６５を介する必要のあるＬＥＤ照明器具にも適用することができる。
【００５７】
また、コード長さ調整機構１０に対して、コード６０を押し込む、或いは、引き出す作業のみでコード６０の長さが調整できることによって、コードの長さ調整が簡単にできる。
【００５８】
さらに、電源装置６５から収納部Ｓに案内されるコード６０は、収納部Ｓの外周側から中心方向に向けて案内される。このため、コード６０を収納部Ｓに押し込んだ際に、コード６０が収納部Ｓの外側に押し出されやすく、かつ、筐体２２に近い位置からフランジ４０の内側に沿ってとぐろ状に捲回開始されやすい。従って、収納部Ｓ内にデッドスペースが形成されにくく、収納部Ｓに収納されるコード６０の長さを長くすることができる。
【００５９】
また、締め付け具４５が、フレーム２０とフランジ４０の固定を行う部材を兼ねることにより、フレーム２０の枠体２３とフランジ４０との間隔を小さくでき、収納部Ｓを大きく確保することができる。換言すると、フランジ４０が小さくても収納部Ｓを大きく確保することができる。このため、コード６０の調整しろを長くすることができる。また、フレーム２０に対するフランジ４０の固定が容易である。
【００６０】
さらに、フランジ４０は、鉛直方向の断面形状が全て円形状に形成されることで、コード６０がフランジ４０の内壁に沿い易く、コード６０を押し込む、或いは、引き出す作業がスムーズに行える。
【符号の説明】
【００６１】
１０      コード長さ調整機構
２０      フレーム
２２      筐体
２３      枠体
３０      端子台
４０      フランジ
５０      照明器具本体
１００    照明器具
【図１】
2014220179.tif 000003
【図２】
2014220179.tif 000004
【図３】
2014220179.tif 000005
【図４】
2014220179.tif 000006